(57)【要約】【課題】  竪樋又は塀、排水溝などを通路として利用するねずみの建物への侵入を防ぐ用具を提供する。【解決手段】  竪樋を利用するねずみの侵入を防止するためＶ字刃部１を、外側に折り起立させた状態で筒状にして、竪樋２の外周に取り付け固定する。  塀４を利用するねずみの侵入を防止するため、帯状板３にＶ字刃部１を起立させた状態で塀４の上面の通路に取り付け固定する。  排水溝を利用するねずみの侵入を防止するため、帯状板３にＶ字刃部１を内側に折り起立させた状態で、排水溝５の内面に長方形、門形又は円筒の排水溝には円筒に取り付け固定する。【選択図】    図１、
0003105670.tif 000002
【実用新案登録請求の範囲】
【請求項１】
帯状の板に鋭角のＶ字刃部の切り込みを入れ、ねずみが通過できないように起立こさせたことを特徴とする。
【請求項２】
請求項１のＶ字刃部を起立させた形状で、ねずみの侵入を防ぐことを特徴とする請求項２。
【考案の詳細な説明】
【技術分野】
【０００１】  本項案は建物の現場で使用する、ねずみなどの害敵を防止させるための金具でねずみ侵入防止具に関するものである。
【背景技術】
【０００２】  従来建物にはねずみなどの被害防止に有効な機能が備えられておらず、竪樋などから駆け上がたり、排水溝から建物に進入し人に害又は建物に被害を及ぼすなどの問題があった。
【考案の開示】
【０００３】  解決しようとする問題点は、ねずみを竪樋、排水溝により建物内に侵入させない点にある。
【課題を解決するための手段】
【０００４】  本考案は、シート上又は竪樋に筒上に巻き付け、所定の場所に固定させることを最も主要な特徴とする。
【考案の効果】
【０００５】  本考案は、ねずみなどの害敵を防止金具のＶ字刃部により、竪樋からの侵入を防止する事ができ人に及ぼす被害も、無くすことができるといゆ利点がある。
【考案を実施するための最良の形態】
【０００６】  ねずみの害を予防するという目的を最小の部品形態で、竪樋の機能をそこなわずに実現した。
【実施例】
【０００７】  考案の１実施例、図１は外面竪樋２の周に円形に取り付けた状態を示す説明図である、図２は帯状で使用すときの実施例を示す説明図である、図３は排水溝５の内面に長方形に取り付けた状態を示す説明図である。【０００８】  図１において、竪樋を利用するねずみの侵入を防止するため、Ｖ字刃部１を外側に折り起立させた状態で筒状にし、竪樋２外周に固定させている。【０００９】  図２において、塀４を伝って侵入するねずみを防ぐため、塀４の上面の通路に取り付ける、帯状板３上面にＶ字刃部１を起立させた状態である。【００１０】  図３において、排水溝５を利用するねずみの侵入を防止するため、排水溝５の内面に長方形に取り付ける、帯状板３内面にＶ字刃部１を起立させた状態である。
【産業上の利用可能性】
【００１１】  Ｖ字刃部を立てることにより、ねずみ以外の害獣侵入防止の用途にも適用できる。
【図面の簡単な説明】
【００１２】
【図１】  筒状で竪樋の外周に取り付けた状態を示す平面図である。
【図２】  帯状にしてＶ字刃部１を起立させ塀の上面に設置した状態を示す斜視図である。
【図３】  帯状にしてＶ字刃部１を内面に起立させた状態で、排水溝壁面に設置した正面図である。
【符号の説明】
【００１３】  １  Ｖ字刃部
２  竪樋
３  帯状板
４  塀
５  排水溝
【図１】
0003105670.tif 000003
【図２】
0003105670.tif 000004
【図３】
0003105670.tif 000005
【手続補正書】
【提出日】平成16年7月13日(2004.7.13)
【手続補正１】
【補正対象書類名】実用新案登録請求の範囲
【補正対象項目名】全文
【補正方法】変更
【補正の内容】
【実用新案登録請求の範囲】
【請求項１】
帯状の板に鋭角の三角刃部を直立に起立こさせたことを特徴とする、ねずみの侵入防止具。
【請求項２】
請求項１の三角刃部を起立させた形状をねずみの通路に装着し、ねずみの侵入を防ぐことを特徴とする、請求項１記載のねずみの侵入防止具。
【手続補正２】
【補正対象書類名】明細書
【補正対象項目名】全文
【補正方法】変更
【補正の内容】
【考案の詳細な説明】
【技術分野】
【０００１】  本項案は建物の現場で使用する、ねずみの被害を防止させるための金具でねずみの侵入防止具に関するものである。
【背景技術】
【０００２】  従来建物にはねずみの被害防止に有効な機能が備えられておらず、例えば竪樋などから駆け上がたり、排水溝から建物に進入し人に害又は建物に被害を及ぼすなどの問題があった。
【考案が解決しようとする課題】
【０００３】  解決しようとする問題点は、ねずみを竪樋又は、排水溝により建物内に侵入させない、有効な侵入防止具がない点である。
【課題を解決するための手段】
【０００４】  本考案は、鋭角の三角刃部を起立させた帯状の板をねずみの通路上に固定して置く、又は竪樋の外周に巻き付け、所定の場所に固定しねずみの駆け上がりを防止することを特徴とする。これによりねずみの通路を遮断し、ねずみの侵入を防止することができるという目的を実現した。
【考案の効果】
【０００５】  本考案は、ねずみ侵入防止具の構成する鋭角の三角刃部により、ねずみの通路を遮断することができ、建物人に及ぼす被害を無くすことができるという利点がある。
【考案を実施するための最良の形態】
【０００６】  ねずみの害を予防するという目的を最小の部品形態で実現した。
【実施例】
【０００７】  実施例について図面を参照して説明する。
図１〜図４においてねずみの侵入を防止するため、例えば厚み０．２〜０．３ｍｍの鋼性を有する金属の帯状板３を機械加工により、三角刃部１を所定の形状で切り込みを入れ直立に起立させ、長手方向の左右に平行の鋭角な三角刃部１を講成している。【０００８】  図１と図４は、鋭角な三角刃部１を形成する帯状板３を竪樋２の外周に円形状に取り付けることにより、ねずみなど駆け上がりできないようにしたものである。【０００９】  図２は、塀４を伝って侵入するねずみを防ぐため、前述同様に鋭角の三角刃部１を起立させた帯状板３をねずみの通路とする塀４の上部平面に取り付けた状態である。【００１０】  図３は、排水溝５内を通路として利用するねずみの侵入を防止するため、前述同様に鋭角な三角刃部１を起立させた帯状板３を排水溝５の排水機能を妨げることなく、内部壁面に合わせて取り付けた状態である。
【産業上の利用可能性】
【００１１】  鋭角な三角刃部１を起立させることにより、ねずみ以外の害獣侵入防止の用途にも適用できる。
【図面の簡単な説明】
【００１２】
【図１】  鋭角な三角刃部１を直立で起立させた帯状板３を、竪樋２の外周に取り付けた状態を示す平面図である。
【図２】  鋭角な三角刃部１を直立で起立させた帯状板３を、塀４の上部面にねずみの通路をふさぐように設置した状態を示す斜視図である。
【図３】  鋭角な三角刃部１を直立で起立させた帯状板３を、排水溝５内部壁面に排水機能を妨げることなく取付けた説明図である。
【図４】  図１の斜視図である。
【符号の説明】
【００１３】  １  三角刃部
２  竪樋
３  帯状板
４  塀
５  排水溝
【手続補正３】
【補正対象書類名】図面
【補正対象項目名】図１
【補正方法】変更
【補正の内容】
【図１】
0003105670.tif 000006
【手続補正４】
【補正対象書類名】図面
【補正対象項目名】図２
【補正方法】変更
【補正の内容】
【図２】
0003105670.tif 000007
【手続補正５】
【補正対象書類名】図面
【補正対象項目名】図３
【補正方法】変更
【補正の内容】
【図３】
0003105670.tif 000008
【手続補正６】
【補正対象書類名】図面
【補正対象項目名】図４
【補正方法】追加
【補正の内容】
【図４】
0003105670.tif 000009